(57)【要約】【課題】長年の使用においても端子部への結線作業時に端子カバーが端子部を閉塞することがなく、また、電気機器の形状に拘わらずに端子部の近傍で端子部の接続先の表示ができる電気機器の端子カバーを提供する。【解決手段】電気機器１の端子部３の両側の左右側面には嵌合溝５を水平方向に形成し、端子部３を被覆する端子カバー６は左右両端に腕部７を短手方向に延設し、この腕部７を本体ケース２の嵌合溝５に嵌合させて端子カバー６をスライド可能に取り付ける。電子機器１は端子部３を前面に向けて設置し、端子部３に結線するには、端子カバー６を下方向にスライドさせて端子部３を開放して行う。また、端子カバー６の表面に端子部３の接続先を表示する表示部１２を設ける。【選択図】　　　　図１
2004119236.tif 000002
【特許請求の範囲】
【請求項１】
電気機器の端子部を閉塞する端子カバーにおいて、前記電気機器の左右側面に嵌合溝を形成し、前記端子カバーの左右両端に延設した腕部を前記嵌合溝に嵌合させて前記端子カバーをスライド自在に取り付けたことを特徴とする電気機器の端子カバー。
【請求項２】
前記端子カバーに前記端子部の接続先を表示する表示部を設けたことを特徴とする請求項１に記載の電気機器の端子カバー。
【発明の詳細な説明】
【０００１】
【発明の属する技術分野】
本発明は、電気機器の端子カバーに関する。
【０００２】
【従来の技術】
従来、電気機器の端子部を閉塞する端子カバーは特開平５−２３４６２７号公報に開示されるように、端子カバー（３５）の長手方向の両端の一側部に夫々回動軸（３５ａ）を形成し、これらの回動軸（３５ａ）を受ける軸受け部（３４ａ）を端子部（３４１）の上部の一側部の両側に形成し、端子カバー（３５）を開閉自在に端子部（３４１）に取り付けている。また、軸受け部（３４ａ）の上部に端子カバー（３５）を開放するように回動させるときに乗り越え可能で、且つ端子カバー（３５）が端子部（３４１）を閉塞する方向に回動することを阻止する突条（３４ｄ）を形成し、端子部（３４１）への結線作業がしやすいように端子カバー（３５）が開放状態で保持できるようになっている。
【０００３】
【発明が解決しようとする課題】
電気機器を盤の内部に取り付けて使用する場合、電気機器の底面を盤の背板に固定するため、端子部（３４１）を前面に向けるように縦に起こした状態で取り付けられて使用されるが、この状態で端子カバー（３５）の開閉を繰り返していると突条（３４ｄ）が擦り減って保持力が低下してしまい、端子カバー（３５）が開放状態で保持できなくなり、端子部（３４１）への結線作業時に端子カバー（３５）を開放しても自重に耐えられずに閉塞してしまうという欠点があった。また、電気機器の形状によっては電気機器の前面に表示スペースがとれず、端子部（３４１）の近くに端子部の接続先を表示できない場合があった。
【０００４】
そこで上記問題点に鑑み、本発明の目的は、長年の使用においても端子部への結線作業時に端子カバーが端子部を閉塞することがなく、また、電気機器の形状に拘わらずに端子部の近傍で端子部の接続先の表示ができる電気機器の端子カバーを提供することである。
【０００５】
【課題を解決するための手段】
上記目的を達成するために、請求項１に記載の発明によれば、電気機器の端子部を閉塞する端子カバーにおいて、電気機器の左右側面に嵌合溝を形成し、端子カバーの左右両端に延設した腕部を嵌合溝に嵌合させて端子カバーをスライド自在に取り付けたことを特徴とする。
【０００６】
請求項２に記載の発明によれば、請求項１に記載の電気機器の端子カバーにおいて、端子カバーに端子部の接続先を表示する表示部を設けたことを特徴とする。
【０００７】
【発明の実施の形態】
請求項１に記載の発明によれば、電気機器の端子部を閉塞する端子カバーにおいて、電気機器の左右側面に嵌合溝を形成し、端子カバーの左右両端に延設した腕部を嵌合溝に嵌合させて端子カバーをスライド自在に取り付けたことにより、長年の使用においても端子部への結線作業時に端子カバーが端子部を閉塞することがない。
【０００８】
請求項２に記載の発明によれば、請求項１に記載の電気機器の端子カバーにおいて、端子カバーに端子部の接続先を表示する表示部を設けたことにより、電気機器の形状に拘わらずに端子部の近傍で端子部の接続先の表示ができる。
【０００９】
【実施例】
本発明に係る電気機器の端子カバーの実施例を図１〜図６の添付図面に基づいて説明する。
【００１０】
図１と図２に示すように電気機器１は、本体ケース２の前端に複数の端子部３が並設され、各端子部３は隔壁４によって仕切られている。
【００１１】
電気機器１の端子部３の両側の左右側面には嵌合溝５が水平方向に形成され、端子部３を被覆する端子カバー６は左右両端に腕部７が短手方向に延設され、この腕部７が本体ケース２の嵌合溝５に嵌合されて端子カバー６がスライド可能に取り付けられている。
【００１２】
図３の拡大図に示すように端子カバー６は腕部７の先端の内側に突起８が形成され、図４の拡大図に示すように本体ケース２の嵌合溝５には突起８と対向する凹部９が形成され、端子カバー６のスライド長さを制限している。また、図３に示すように腕部７の先端と反対側の端部には係合突起１０が形成され、図４に示すように本体ケース２には係合突起１０が係合する係合凹部１１が形成されて端子カバー６の閉塞状態を保持するようになっている。
【００１３】
電気機器１を盤（図示せず）等の内部に取り付ける場合は本体ケース２の底面を盤の背板に螺子等を用いて固定し、端子部３を前面に向けるように図１の状態から縦に起こした状態で取り付けられる。
【００１４】
電気機器１の端子部３に結線する場合は、端子カバー６を下方向にスライドさせて端子部３を開放して行う。端子カバー６は自重によって垂れ下がった状態で腕部７の突起８が嵌合溝５の凹部９の端部に係止して保持されるので、従来例のように長年の使用によって保持手段が劣化したりすることがなく、結線作業時に端子カバー６が端子部３を閉塞することがない。
【００１５】
また、端子カバー６の表面には端子部３の接続先を表示する表示部１２が設けられており、接続先を確認しながら結線作業を行うことができ、誤結線を防止できる。この表示部１２にはシール等が用いて形成することができる。
【００１６】
結線作業が終了したら、端子カバー６を上方向にスライドさせて端子部３を閉塞する。また、例えば、図５に示すように本体ケース２の前端に固定片１３を回動可能に設け、端子カバー６の閉塞時に固定片１３を回動させて端子カバー６の先端に係止させることにより、端子カバー６を確実に閉塞することができる。
【００１７】
尚、電気機器１を反転させて取り付けた場合等で電気機器１の設置時に端子部３が上側になる場合は、図６に示すように端子カバー６を引き出した点で回動可能に形成することにより、端子カバー６を上方向にスライドさせた後、手前に回動させて保持することができる。この場合、表示部１２は端子カバー６の裏面に設けると良い。
【００１８】
また、端子カバーの形状や閉塞状態を保持するための構造について限定はなく、本発明の趣旨を逸脱しない範囲で適宜変更可能である。
【００１９】
【発明の効果】
以上説明したように、請求項１に記載の発明によれば、電気機器の端子部を閉塞する端子カバーにおいて、電気機器の左右側面に嵌合溝を形成し、端子カバーの左右両端に延設した腕部を嵌合溝に嵌合させて端子カバーをスライド自在に取り付けたことにより、長年の使用においても端子部への結線作業時に端子カバーが端子部を閉塞することがないという効果がある。
【００２０】
請求項２に記載の発明によれば、請求項１に記載の電気機器の端子カバーにおいて、端子カバーに端子部の接続先を表示する表示部を設けたことにより、電気機器の形状に拘わらずに端子部の近傍で端子部の接続先の表示ができるという効果がある。
【図面の簡単な説明】
【図１】本発明に係る電気機器の外観斜視図である。
【図２】電気機器の端子カバーを取り外した状態の外観斜視図である。
【図３】図２のＡ部拡大図である。
【図４】図２のＢ部拡大図である。
【図５】端子カバーの閉塞保持部材を設けた電気機器の外観斜視図である。
【図６】電気機器の端子カバーの変形実施例である。
【符号の説明】
１…電気機器
３…端子部
５…嵌合溝
６…端子カバー
７…腕部
１２…表示部
【図１】
2004119236.tif 000003
【図２】
2004119236.tif 000004
【図３】
2004119236.tif 000005
【図４】
2004119236.tif 000006
【図５】
2004119236.tif 000007
【図６】
2004119236.tif 000008